(57)【特許請求の範囲】
【請求項１】
３つの入力と３つの出力を有する光３ｘ３波長クロスコネクタ（ＯＸＣ）であって、いくつかの異なる波長チャネルを含む入力信号が各入力へ与えられ、波長チャネルは前記入力信号からの異なる波長チャネルを含む出力信号が各出力で得られるような、固定されたクロスコネクションスケジュールに従って３ｘ３波長クロスコネクタによりクロスコネクトされ、
−３ｘ３波長クロスコネクタは２つの２ｘ２波長クロスコネクタ（ＯＸＣ１，ＯＸＣ２）を具備し、その各々が一方の２ｘ２波長クロスコネクタ（ＯＸＣ１）からの１つの出力（ｂ１）が第２の２ｘ２波長クロスコネクタ（ＯＸＣ２）の入力（ａ２）に直列に接続されるようにされた２つの入力と２つの出力を有し、したがって直列接続された出力（ａ２）が得られ、
−２ｘ２波長クロスコネクタの残りの入力は一緒に３ｘ３波長クロスコネクタの入力を形成し、
−  入力ポート（ｐ１）、中間ポート（ｐ２）および出力ポート（ｐ３）を有する光サーキュレータ装置（Ｃ１，Ｃ２）が入力（ａ２）に接続された出力（ｂ１）および直列接続された出力（ａ２）を除く２ｘ２波長クロスコネクタ（ＯＸＣ１，ＯＸＣ２）の出力に接続され、サーキュレータ装置（Ｃ１，Ｃ２）は入力ポート（ｐ１）を介して２ｘ２波長クロスコネクタの出力に接続されており、
−サーキュレータ装置（Ｃ１，Ｃ２）はその各中間ポート（ｐ２）に接続されたバンドリフレクスフィルタ装置（Ｂ１）の媒体を介して互いに接続されており、
−直列接続出力（ａ２）は３ｘ３波長クロスコネクタの出力を形成し、
−３ｘ３波長クロスコネクタの残りの出力はサーキュレータ装置（Ｃ１，Ｃ２）の出力ポート（ｐ３）により形成され、
−バンドリフレクスフィルタ装置はサーキュレータ装置の中間ポートから送られる波長チャネルの中のある波長チャネルをバンドリフレクスフィルタ装置へ反射して他の前記波長を伝送することを特徴とする光３ｘ３波長クロスコネクタ。
【請求項２】
Ｎ入力およびＮ出力を有する光ＮｘＮ波長クロスコネクタ（ＯＸＣ）であって、Ｎは奇数であり、いくつかの異なる波長チャネルを含む入力信号が各入力へ与えられ、前記波長チャネルは異なる入力信号からの異なる波長チャネルを含む出力信号が各出力で得られるように固定されたクロスコネクションスケジュールに従ってＮｘＮ波長クロスコネクタによりクロスコネクトされ、
−ＮｘＮ波長クロスコネクタは（Ｎ＋１）／２ｘ（Ｎ＋１）／２波長クロスコネクタ（ＯＸＣ１，ＯＸＣ２）を含み、各々が（Ｎ＋１）／２入力および（Ｎ＋１）／２出力を有しそれらは一方の（Ｎ＋１）／２ｘ（Ｎ＋１）／２波長クロスコネクタ（ＯＸＣ１）からの１つの出力（１）が他方の（Ｎ＋１）／２ｘ（Ｎ＋１）／２波長クロスコネクタ（ＯＸＣ２）の入力（３）に直列に接続されるように配置されていて、直列接続出力（２）が得られ、
−（Ｎ＋１）／２波長クロスコネクタの残りの入力は一緒にＮｘＮ波長クロスコネクタの入力を形成し、
−入力ポート（ｐ１）、中間ポート（ｐ２）および出力ポート（ｐ３）を有する光サーキュレータ装置（Ｃ）が入力（３）に接続された前記出力（１）および直列接続された出力（２）を除いて（Ｎ＋１）／２ｘ（Ｎ＋１）／２波長クロスコネクタの各出力に接続されており、サーキュレータ装置は入力ポート（ｐ１）を介して（Ｎ＋１）／２ｘ（Ｎ＋１）／２波長クロスコネクタの出力に接続されており、
−サーキュレータ装置は、その各中間ポートに接続されたバンドリフレクスフィルタ装置（Ｂ）によって、各（Ｎ＋１）／２ｘ（Ｎ＋１）／２波長クロスコネクタから１つづつのサーキュレータ装置が対として一緒に接続されており、
−直列接続された出力（２）はＮｘＮ波長クロスコネクタの出力を形成し、
−ＮｘＮ波長クロスコネクタの残りの出力はサーキュレータ装置の出力ポート（ｐ３）により形成され、
−バンドリフレクスフィルタ装置はサーキュレータ装置の中間ポートから送られる波長チャネルの中のある波長チャネルをバンドリフレクスフィルタ装置へ反射して他の前記波長を伝送することを特徴とする光ＮｘＮ波長クロスコネクタ。
【請求項３】
請求項１または２に記載の光ＮｘＮ波長クロスコネクタであって、全てのバンドリフレクスフィルタ装置が１つの同じ波長チャネルを伝送して、あるノード間の通信容量を２倍にすることを特徴とする光ＮｘＮ波長クロスコネクタ。
【発明の詳細な説明】
技術分野
本発明は光結合方式に関し特にファイバ光ＷＤＭ網（波長分割多重伝送網）に関する。特に本発明はシステム内のさまざまなノードを接続する結合方式で使用される光ＮｘＮ波長クロスコネクタ、およびこのようなＮｘＮ波長クロスコネクタの構成原理に関し、ＮｘＮ波長クロスコネクタとはＮ入力およびＮ出力を有する波長クロスコネクタのことである。
背景技術の説明
米国特許第５，０４０，１６９号にはシステムノードが入力インターフェイス、中央結合デバイスおよび出力インターフェイスを介して互いに接続されている光結合システムが教示されている。ノード間を伝送されるデータ情報はさまざまなキャリア波もしくは波長チャネルで変調される。したがって、ノード間で送られる信号には、例えば１実施例ではＷ１，Ｗ２，Ｗ３，Ｗ４である、複数の波長チャネルが含まれる。信号は入力インターフェイスを介して結合装置の入力へ送られ、波長チャネルは固定されたクロスコネクションスケジュールに従って結合デバイス内で交換、すなわち、クロスコネクトされる。クロスコネクションスケジュールはある波長チャネルがある入力に送られる時にその波長チャネルを接続する出力を明示している。したがって、クロスコネクションスケジュールに従って正しく波長チャネルを選定すればシステム内の任意のノードを相互接続することができる。
前記特許明細書に記載された方法に従って、実際のクロスコネクションは結合装置の入力へ与えられる波長チャネルを第１の分岐点において２つの分岐へ分割することにより達成される、波長チャネルの半分は第１の分岐に接続され残りの半分は第２の分岐に接続されている。波長チャネルのこの分割は、各分岐に１つの波長チャネルしか残らなくなるまで、もっと先の分岐点で繰り返される。分岐は結合装置の各入力に１つづつの“水平面”内に配置される。次に波長チャネルは“垂直面”内で再結合される。したがって、２つの波長チャネルは第１の結合点において結合され、これら２つの波長チャネルは第２の結合点において他の２つの波長チャネルへ結合され、以下結合装置から信号が送り出されるまで続けられる。このようにして出力信号の波長チャネル数は結合装置の入力へ与えられる入力信号の波長チャネル数に等しくなる。結合装置は入力信号の波長チャネルの完全分割原理に従って作動し、その後全ての入力信号からの波長チャネルを結合して出力信号が得られる。
周知の結合装置の欠点は構造が複雑で多数の部品を必要とすることである。
発明の要約
本発明の１つの目的は構造が単純で、最小数の部品しか必要とせず、光網内のさまざまなノード間で低い伝送損失で信号を伝送する受動部品からなる光波長クロスコネクタを構成する際の問題点を解決することである。本発明のもう１つの目的は２つの波長クロスコネクタを相互接続して多数の入力および出力を有する波長クロスコネクタを得る際の問題点を解決することである。
したがって、本発明の目的は前記した問題点を解決する波長クロスコネクタを提供することである。本発明のこの目的は２つの異なる部品、光サーキュレータ装置および光バンドリフレクスフィルタ手段、を使用して実現される。２つのサーキュレータ装置をバンドリフレクスフィルタ装置の媒体を介して相互接続すると、波長クロスコネクタへ送られる入力信号をクロスコネクトするのに使用されるクロスコネクションユニットが得られる。入力信号には複数の波長チャネルが含まれこれらのチャネルが固定クロスコネクションスケジュールに従ってクロスコネクタによりさまざまな信号パスにクロスコネクトされて、さまざまな入力信号からの波長チャネルを含む出力信号が波長クロスコネクタの出力へ送られるようにされる。本発明はある波長チャネルがバンドリフレクスフィルタ装置により反射され他の波長チャネルが減衰の低いバンドリフレクスフィルタ装置を介して伝送されるという原理に基づいている。サーキュレータ装置の演算式およびバンドリフレクスフィルタ装置との接続方法により、バンドリフレクスフィルタ装置を両方向から対称的に使用して、波長クロスコネクタ全体を通して全信号パスにおいて波長チャネル数が一般的に一定に保持され、僅か２，３の部品だけで波長クロスコネクタを構成できるように波長チャネルをクロスコネクトすることができる。
Ｎが偶数である、Ｎ入力およびＮ出力を有する波長クロスコネクタを構成する時には、Ｎ／２入力およびＮ／２出力を有する２つの波長クロスコネクタが使用される。これらの入力はＮｘＮ波長クロスコネクタの入力を形成する。各Ｎ／２ｘＮ／２波長クロスコネクタから１つづつのこれらの出力は並列に相互接続され、各並列結合は２つのサーキュレータ装置と１つのバンドリフレクスフィルタ装置のによって行われる。１つのサーキュレータ装置はＮ／２ｘＮ／２波長クロスコネクタの各出力に接続され、サーキュレータ装置の出力ポートはＮｘＮ波長クロスコネクタの出力を形成する。
Ｎが奇数である、Ｎ入力およびＮ出力を有する波長クロスコネクタを構成する時には、（Ｎ＋１）／２入力および出力を有する２つの波長クロスコネクタが使用される。一方の（Ｎ＋１）／２ｘ（Ｎ＋１）／２波長クロスコネクタからの１出力が他方の（Ｎ＋１）／２ｘ（Ｎ＋１）／２波長クロスコネクタの入力に接続され、他方の（Ｎ＋１）／２ｘ（Ｎ＋１）／２波長クロスコネクタの直列接続出力が得られる。（Ｎ＋１）／２ｘ（Ｎ＋１）／２波長クロスコネクタの残りの出力は、入力に接続されている出力および直列接続されている出力を除けば、偶数の入力および出力を有する波長クロスコネクタと同様に並列に相互接続される。一方の（Ｎ＋１）／２ｘ（Ｎ＋１）／２波長クロスコネクタの前記出力に接続されている入力を除けば、（Ｎ＋１）／２ｘ（Ｎ＋１）／２波長クロスコネクタの入力はＮｘＮ波長クロスコネクタの入力を形成する。
したがって、本発明による波長クロスコネクタには構造が単純であり低い伝送損失でさまざまなノード間で信号を伝送することができる最小限の数の受動部品しか必要としないという利点がある。本発明のもう１つの利点は２つの小型波長クロスコネクタを使用して多数の入力および出力を有する波長クロスコネクタが得られるような構造とされていることである。
次に実施例および添付図を参照して本発明を詳細に説明する。
【図面の簡単な説明】
第１ａ図および第１ｂ図は４ｘ４波長クロスコネクタおよびそのクロスコネクションスケジュールによる光ＷＤＭ網内の４つのノードの接続を示す略図。
第２ａ図および第２ｂ図はそれぞれ本発明に従った光２ｘ２波長クロスコネクタおよびそのクロスコネクションスケジュールを示す図。
第３ａ図および第３ｂ図はそれぞれ本発明の４ｘ４波長クロスコネクタおよびそのクロスコネクションスケジュールを示す図。
第４図は本発明に従って構成された８ｘ８波長クロスコネクタを示す略図。
第５図はＮが偶数である本発明のＮｘＮ波長クロスコネクタの般的な構成原理を示す図。
第６ａ図および第６ｂ図はそれぞれ修正された４ｘ４波長クロスコネクタおよびそのクロスコネクションスケジュールを示す図。
第７図は広帯域バンドリフレクスフィルタ装置が使用される８ｘ８波長クロスコネクタを示す図。
第８ａ図および第８ｂ図はそれぞれ修正８つの波長チャネルを含む入力信号が使用される４ｘ４波長クロスコネクタ、およびそのクロスコネクションスケジュールを示す図。
第９ａ図および第９ｂ図はそれぞれ３ｘ３波長クロスコネクタおよびそのクロスコネクションスケジュールを示す図。
第１０図はＮが奇数である本発明のＮｘＮ波長クロスコネクタの一般的な構成原理を示す図。
発明を実施するための最善モード
第１ａ図は４ｘ４波長クロスコネクタＯＸＣの媒体を介して相互に通信する４つのノードＡ，Ｂ，Ｃ，Ｄからなる光ＷＤＭ網を示す。ノードＡは波長クロスコネクタの入力ａおよび出力ａに接続されており、ノードＢは入力ｂおよび出力ｂに接続されており、以下同様である。ノード間を４ｘ４波長クロスコネクタを介して伝送される信号は４つの異なるチャネル１，２，３，４を含んでいる。伝送されるデータ情報はこれらのチャネルで変調される。したがって、ノードＡからの信号は入力ａへ与えられ、この信号は変調された波長チャネル１ａ，２ａ，３ａ，４ａを含んでいる。入力ｂ，ｃ，ｄへ与えられる信号はそれぞれ同じ波長チャネル１，２，３，４を含んでいるが、波長チャネルはそれぞれノードＢ，Ｃ，Ｄからの情報により変調されている。４つの入力信号の波長チャネルは固定クロスコネクションスケジュールに従って波長クロスコネクタに再分配され、入力信号からの再分配された波長チャネルからなる出力信号は出力ａ，ｂ，ｃ，ｄへ送出される。例えば、出力ａの出力信号は波長チャネル１ａ，２ｂ，３ｃ，４ｄからなり、前記出力信号は各入力からの１つの波長チャネルにより形成される。
第１ｂ図に示すクロスコネクションスケジュールは波長チャネルをどのようにクロスコネクトできるかを示す例である。スケジュールに示す数字や数詞は伝送ノードＴｘを受信ノードＲｘへ接続するのに使用しなければならない波長チャネルを示している。波長チャネル４は、例えば、ノードＡからノードＢへの伝送に使用しなければならず、波長チャネル２は反対方向の伝送に使用しなければならない。これにより任意のノードを任意他のノードに接続することができる。波長チャネル１が選定されると、ノードはそれ自体に接続され、それはある場合には望ましいが、波長チャネルは後記するように別の方法で使用することもできる。
本発明に従って、波長クロスコネクタは２つの異種の部品から構成され、それは光サーキュレータ装置および光バンドリフレクスフィルタ装置である。
サーキュレータ装置は例えばＪＤＳ  ＦＩＴＥＬから市販されているような光サーキュレータとすることができる、１９９３年製品レビュー、第１１頁参照。サーキュレータは３つのポート、すなわち入力ポート、中間ポートおよび出力ポートを有している。入力ポートへ与えられる信号は中間ポートから送出され、中間ポートへ与えられる信号は出力ポートから送出される。同じ機能は別の方法、例えばアイソレータおよび２ｘ２ファイバコネクタからなる構造、を使用して得ることができるがこの構造では望ましくない高い信号減衰が生じ、そのため前記したサーキュレータが好ましい。
前記したバンドリフレクスフィルタ装置は好ましくは周知の光ファイバ格子である。これらのファイバ格子の波長特性は、低減衰で反射される１つの波長バンドを除けば、全波長が低減衰で伝送されるようになっている。バンドリフレクスフィルタ装置は本発明の波長クロスコネクタの中に１つ以上の直列接続ファイバ格子を含んでいる。ファイバ格子の反射バンドは１つの波長チャネルを反射することができ、広帯域波長特性を使用する場合には多数の波長チャネルを反射することができる。後記するように、これは反射クロスコネクタ内の部品数を最小限に抑えるのに使用することができる。干渉フィルタは他のバンドリフレクスフィルタ装置の一例である。
第２ａ図は本発明の２ｘ２波長クロスコネクタＯＸＣ内にどのようにクロスコネクション機能を達成するかを示している。クロスコネクタは２つのサーキュレータＣ１，Ｃ２およびバンドリフレクスフィルタ装置Ｂ１を具備し、それらは第１の（かつ唯一の）クロスコネクション段Ｉを形成する。この場合、バンドリフレクスフィルタ装置はファイバ格子からなっている。サーキュレータ入力ポートｐ１は波長クロスコネクタの入力ａおよびｂを形成し、サーキュレータ出力ポートｐ３は前記波長クロスコネクタの出力ａおよびｂを形成する。サーキュレータの中間ポートｐ２はバンドリフレクスフィルタ装置を介して一緒に接続されている。第２ｂ図に示すクロスコネクションスケジュールを得るために、バンドリフレクスフィルタ装置は波長チャネル１を反射しなければならず、それには図においてバンドリフレクスフィルタ装置Ｂ１の記号に隣接して数字１が付されている。
入力ａおよびｂへ与えられる２つの入力信号がそれぞれ２つの変調された波長チャネル１ａ，２ａおよび１ｂ，２ｂを含む場合には、各波長チャネル１ａ，２ｂおよび１ｂ，２ａは第２ｂ図に示すスケジュールに従って出力ａ，ｂへ送出される。クロスコネクションは波長チャネル１ａをサーキュレータＣ１の入力ポートｐ１へ送り、中間ポートｐ２からの波長チャネルを送り、前記チャネルをバンドリフレクスフィルタ装置Ｂ１により反射し、前記チャネルをサーキュレータＣ１の中間ポートｐ２へ与え、波長クロスコネクタの出力ａを形成する出力ポートｐ３からチャネルを送出して達成される。波長チャネル２ａはサーキュレータＣ１の入力ポートｐ１へ送られ、中間ポートｐ２から送出され、バンドリフレクスフィルタ装置Ｂ１を介して伝送され、サーキュレータＣ２の中間ポートｐ２へ送り込まれ、波長クロスコネクタの出力ｂを形成する出力ポートｐ３から送出される。同じ原理に従って、波長チャネル１ｂ，２ｂはそれぞれ出力ｂおよびａへクロスコネクトされる。
バンドリフレクスフィルタ装置Ｂ１は両方向から対称的に使用される、すなわち入力ａおよびｂへ送られる入力信号の波長チャネル１を反射し波長チャネル２を伝送するのに同じバンドリフレクスフィルタ装置が使用されることを理解できるであろう。
前記した構造上の原理はより大きい波長クロスコネクタを構成するのに応用することができる。第３ａ図に示す４ｘ４波長クロスコネクタＯＸＣは第２ａ図に示す２つの波長クロスコネクタＯＸＣ１，ＯＸＣ２を含んでいる。波長クロスコネクタＯＸＣ１，ＯＸＣ２は互いに並列に配置され第１のクロスコネクション段１を形成する。第３ａ図のバンドリフレクスフィルタ装置Ｂ１は２つの波長チャネルを反射するものであり、例えば、波長チャネル１および３を反射する２つの直列接続ファイバ格子を具備することができる。２ｘ２波長クロスコネクタＯＸＣ１，ＯＸＣ２の入力は一緒に４ｘ４波長クロスコネクタの入力を形成する。一方の波長クロスコネクタＯＸＣ１の１つの出力ａ１は、２つのサーキュレータＣ５，Ｃ６および１つのバンドリフレクスフィルタ装置Ｂ３を介して、他方の波長クロスコネクタＯＸＣ２の１つの出力ａ２に接続されている。この実施例では、バンドリフレクスフィルタ装置Ｂ３にはそれぞれ波長チャネル１および２を反射する２つの直列接続ファイバ格子が含まれている。バンドリフレクスファイバ装置Ｂ３は前記したようにサーキュレータＣ５，Ｃ６の中間ポートに接続され両方向から対称的に使用される。出力ｂ１およびｂ２は出力ａ１およびａ２と同様にサーキュレータＣ７，Ｃ８および波長チャネル１および４を反射する１つのバンドリフレクスフィルタ装置Ｂ４を介して一緒に接続されている。第２のクロスコネクション段IIがサーキュレータ対Ｃ５−Ｃ６およびＣ７−Ｃ８およびバンドリフレクスフィルタ装置Ｂ３，Ｂ４により形成されている。サーキュレータＣ５−Ｃ８の出力ポートは４ｘ４波長クロスコネクタの出力を形成する。第３ｂ図に４ｘ４波長クロスコネクタのクロスコネクションスケジュールを示す。
第４図に８ｘ８波長クロスコネクタＯＸＣの構造を示す。４ｘ４波長クロスコネクタＯＸＣ５，ＯＸＣ６は互いに並列に配置され、前記各コネクタの各出力ａ１−ｄ１およびａ２−ｄ２は互いに２つのサーキュレータおよび１つのバンドリフレクスフィルタ装置に接続され、それにより第３のクロスコネクション段IIIが得られる。バンドリフレクスフィルタ装置は好ましくは入力ａ−ｈへの入力信号を形成する波長チャネルの半分を反射する。入力信号が入力と同数の波長チャネルを含むものとすると、図示するように、４つの波長チャネルを反射しなければならない。２つの４ｘ４波長クロスコネクタＯＸＣ５，ＯＸＣ６は第３ａ図に関して説明したように構成することができるが、そうする必要はない。したがって、所望により、他種の波長クロスコネクタを使用して４ｘ４波長クロスコネクタを実現することができる。
第５図にＮｘＮ波長クロスコネクタＯＸＣの一般的な構成原理を示し、Ｎは偶数である。２つのＮ／２ｘＮ／２波長クロスコネクタＯＸＣ１，ＯＸＣ２は互いに並列に接続され、前記コネクタの出力は２つのサーキュレータおよび１つのバンドリフレクスフィルタ装置の媒体を介して一緒に接続されている。波長クロスコネクタ全体が本発明の原理に従って構成される場合には、バンドリフレクスフィルタ装置は好ましくはＮｘＮ波長クロスコネクタの入力へ与えられる信号の波長チャネルの半分を反射し残りの波長チャネルを伝送する。
前記したように、ノードは使用する波長チャネルの１つについてそれ自体に接続される。したがって、第３ａ図−第３ｂ図から波長チャネル１はノード間の通信には寄与しないことが判る。第３ｂ図に示すクロスコネクションスケジュールに従って、波長チャネル１は替わりに、例えば、ファイバモニタリングのために使用することができる。第３ａ図の波長クロスコネクタを第６ａ図のように修正することにより、この波長チャネル１はあるノード間の通信容量を２倍にするのに使用することができる。第６ａ図に示す波長クロスコネクタの場合、波長チャネル１はいずれのバンドリフレクスフィルタ装置Ｂ１−Ｂ４においても反射されず、したがって第６ｂ図に従ったクロスコネクションスケジュールが得られる。第６ｂ図から波長チャネル１もしくは波長チャネル２をノードＡからノードＤへの伝送に使用することができ波長チャネル１もしくは波長チャネル４をノードＢからノードＣへの伝送に使用することができ、以下同様にできることが判る。しかしながら、あるノード間の通信容量をこのように２倍にすることにより１つのノードからそれ自体へ伝送する能力に損失が生じる。
波長クロスコネクタを構成するのに必要な部品数は波長スペクトル内で互いに隣接する波長チャネルを一緒に分類しかつ広帯域特性を有するバンドリフレクスフィルタ装置を使用することにより最小限に抑えることができる。したがって、広帯域ファイバ格子を使用して４つの互いに隣接する波長チャネルを反射することができ、各々がそれぞれの波長チャネルを反射する４つのファイバ格子が置換される。この場合、第１図の８ｘ８波長クロスコネクタを第７図に従って修正することができる。第１のクロスコネクション段Ｉでは、４つの互いに隣接する波長チャネル１−４は広帯域ファイバ格子を含むバンドリフレクスフィルタ装置Ｂ１−Ｂ４により反射される。第２のクロスコネクション段IIでは、互いに隣接する波長チャネル数は半分とされており、したがって各波長チャネル１−２および５−６を反射するバンドリフレクスフィルタ装置Ｂ５−Ｂ８を形成する２つの直列接続広帯域ファイバ格子を使用する必要がある。最後に、第３および最終クロスコネクション段IIIでは、各々が１つの波長チャネルを反射する、バンドリフレクスフィルタ装置Ｂ９−Ｂ１２を形成する４つの直列接続ファイバ格子を使用する必要がある。このようにしてクロスコネクション機能を提供するのに必要なファイバ格子の数を最小限に抑えることができる。Ｎ入力を有する波長クロスコネクタを構成するのに必要なバンドリフレクスフィルタの数ｇs（Ｎ）は下記の方程式（１）に従って計算することができる。（２）式に従って広帯域リフレクスフィルタを使用する際のバンドリフレクスフィルタ数ｇo（Ｎ）が与えられる。（３）式に従ってＮ入力を有する波長クロスコネクタを構成するのに必要なサーキュレータの数ｃ（Ｎ）が与えられる。（４）式に従ってＮ入力を有する波長クロスコネクタ内のクロスコネクション段の数ｘ（Ｎ）が与えられる。
0003868485.tif 000002
（１）−（４）式は波長クロスコネクタに適用され、ここにＮ＝２x，ｘ＝１，２，３，．．．である。
前記した構造は高度の対称性を示ししたがって波長クロスコネクタの容量が二乗される時に高価な部品、すなわちサーキュレータ、の数は線形的に増加するにすぎない。入力数Ｎ＝２x，ｘ＝１，２，３，．．．および各入力信号内の波長チャネル数は入力数に等しいことが最も好ましい。次に本発明の波長クロスコネクタは互いに網内の全ノードに接続することができる。しかしながら、例えば、入力数の２倍の波長チャネルを各入力信号内で使用するこのは完全に可能であり、そこでは各バンドリフレクスフィルタ装置により２倍の波長チャネルが反射される。１つのノードをもう１つのノードへ接続するのに２つの波長チャネルを選定することができるため、これにより通信容量が２倍となる。これを４ｘ４波長クロスコネクタＯＸＣを有する第８ａ図−第８ｂ図に示し、この図を第３ａ図−第３ｂ図と比較して戴きたい。
また後記するように、奇数の入力および出力を有する波長クロスコネクタを構成することもできる。第９ａ図および第９ｂ図はそれぞれ３ｘ３波長クロスコネクタＯＸＣおよびそのクロスコネクションスケジュールを示す。３ｘ３波長クロスコネクタは互いに“ｐａｒａｌｌｅｌ  ｉｎ  ｓｅｒｉｅｓ”に接続された２つの２ｘ２波長クロスコネクタＯＸＣ１，ＯＸＣ２により構成される。これは一方の２ｘ２波長クロスコネクタＯＸＣ１からの１つの出力ｂ１が他方の２ｘ２波長クロスコネクタＯＸＣ２の入力ａ２に直列に接続されて、他方の２ｘ２波長クロスコネクタＯＸＣ２の直列接続出力ａ２が得られることを意味する。２ｘ２波長クロスコネクタの残りの３つの入力は一緒に３ｘ３波長クロスコネクタの入力を形成する。前記したように、次にサーキュレータ装置Ｃ１，Ｃ２は、２つの出力を除いて、２ｘ２波長クロスコネクタＯＸＣ１，ＯＸＣ２の出力に接続される。これら２つの出力は一部２ｘ２波長クロスコネクタＯＸＣ２の入力ａ２に接続された出力Ｂ１と一部第２の２ｘ２波長クロスコネクタＯＸＣ２の前記直列接続された出力ａ２により構成され、前記出力ａ２は３ｘ３波長クロスコネクタの出力を形成する。その結果サーキュレータ装置Ｃ１，Ｃ２およびバンドリフレクスフィルタ装置Ｂ１を介して互いに対として接続することができる２ｘ２波長クロスコネクタからの偶数の出力（３ｘ３波長クロスコネクタの場合は２つの出力）が生じる。バンドリフレクスフィルタ装置Ｂ１は前記したようにサーキュレータ装置の中間ポートに接続され、前記したように直列接続された出力ａ２により形成される１つの出力を除いて、サーキュレータ装置の出力ポートは３ｘ３波長クロスコネクタの出力を形成する。第９ｂ図は第９ａ図に示す波長クロスコネクタについて得られるクロスコネクションスケジュールを示す。
第１０図はＮｘＮ波長クロスコネクタＯＸＣの一般的な構造を示しＮは奇数である。２つの（Ｎ＋１）／２ｘ（Ｎ＋１）／２波長クロスコネクタＯＸＣ１，ＯＸＣ２は互いに直列に並列接続されており、前記コネクタの出力は２つの出力１，２を除いてサーキュレータ装置Ｃに接続されている。サーキュレータ装置はバンドリフレクスフィルタ装置Ｂを介して、各（Ｎ＋１）／２ｘ（Ｎ＋１）／２波長クロスコネクタから１つづつの、対として接続されている。ＮｘＮ波長クロスコネクタＯＸＣの入力は、波長クロスコネクタＯＸＣ１の出力１に接続された１つの入力３を除いて、（Ｎ＋１）／２ｘ（Ｎ＋１）／２波長クロスコネクタの入力により形成される。ＮｘＮ波長クロスコネクタの出力は、波長クロスコネクタＯＸＣ２の出力２により形成される１つの出力を除いて、サーキュレータ装置の出力ポートにより形成される。
本発明は前記説明およびその例示した実施例には制約されず請求の範囲内で修正を行うことができる。
【図１ａ】
0003868485.tif 000003
【図１ｂ】
0003868485.tif 000004
【図２ａ】
0003868485.tif 000005
【図２ｂ】
0003868485.tif 000006
【図３ａ】
0003868485.tif 000007
【図３ｂ】
0003868485.tif 000008
【図６ａ】
0003868485.tif 000009
【図６ｂ】
0003868485.tif 000010
【図４】
0003868485.tif 000011
【図５】
0003868485.tif 000012
【図８ａ】
0003868485.tif 000013
【図８ｂ】
0003868485.tif 000014
【図７】
0003868485.tif 000015
【図９ａ】
0003868485.tif 000016
【図９ｂ】
0003868485.tif 000017
【図１０】
0003868485.tif 000018